(57)【要約】【課題】畦上面形成体の振動を抑制でき、所望硬さの畦上面を形成できる畦塗り機を提供する。【解決手段】畦塗り機１は、土を盛り上げる盛土体３と、盛土体３による盛土を締め固めて畦を形成する畦形成体４とを備える。畦形成体４は、盛土を締め固めて畦側面を形成する回転可能な畦側面形成体32と、盛土を締め固めて畦上面を形成する回転可能な畦上面形成体33とを備える。畦上面形成体33は、外周面が非円筒状の非円筒上面ローラ部41と、外周面が円筒状の振動抑制用の円筒上面ローラ部42とを有する。【選択図】図１
2010045995.tif 000002
【特許請求の範囲】
【請求項１】
土を盛り上げる盛土体と、
この盛土体による盛土を締め固めて畦側面を形成する回転可能な畦側面形成体と、
前記盛土体による盛土を締め固めて畦上面を形成する回転可能な畦上面形成体とを備え、
前記畦上面形成体は、
外周面が非円筒状に形成された非円筒上面ローラ部と、
外周面が円筒状に形成された振動抑制用の円筒上面ローラ部とを有する
ことを特徴とする畦塗り機。
【請求項２】
畦上面形成体を側面視した場合に、非円筒上面ローラ部の外周線が円筒上面ローラ部の外周線より内側に位置する
ことを特徴とする請求項１記載の畦塗り機。
【請求項３】
非円筒上面ローラ部は、回転方向に並んで位置する弾性変形可能な複数の畦上面形成板部を有し、
畦上面形成体を側面視した場合に、弾性変形前の状態では前記畦上面形成板部の回転方向後端側が円筒上面ローラ部の外周線より外側に位置し、弾性変形後の状態では前記畦上面形成板部の回転方向後端側が前記円筒上面ローラ部の外周線より内側に位置する
ことを特徴とする請求項１記載の畦塗り機。
【請求項４】
非円筒上面ローラ部は、複数の分割ローラにて構成され、軸方向長さ寸法が変更可能となっている
ことを特徴とする請求項１ないし３のいずれか一記載の畦塗り機。
【請求項５】
円筒上面ローラ部は、畦上面形成体の先端部に位置する
ことを特徴とする請求項１ないし４のいずれか一記載の畦塗り機。
【発明の詳細な説明】
【技術分野】
【０００１】
本発明は、畦上面形成体の振動を抑制でき、所望硬さの畦上面を形成できる畦塗り機に関するものである。
【背景技術】
【０００２】
従来、例えば下記の特許文献１に記載された畦塗り機が知られている。この従来の畦塗り機は、土を盛り上げる盛土体と、盛土体による盛土を締め固めて畦側面を形成する回転可能な畦側面形成体と、盛土体による盛土を締め固めて畦上面を形成する回転可能な畦上面形成体とを備えている。また、畦上面形成体の外周面には圧締凸面部および掴持凹面部が形成され、この畦上面形成体の外周面が凸凹の非円筒状になっている。
【特許文献１】特開２０００−１３５００３号公報（図８等）
【発明の開示】
【発明が解決しようとする課題】
【０００３】
しかしながら、上記従来の畦塗り機では、畦上面形成体の外周面が非円筒状になっているため、畦上面形成体が振動し、所望硬さの畦上面が形成されないおそれがある。
【０００４】
本発明は、このような点に鑑みなされたもので、畦上面形成体の振動を抑制でき、所望硬さの畦上面を形成できる畦塗り機を提供することを目的とする。
【課題を解決するための手段】
【０００５】
請求項１記載の畦塗り機は、土を盛り上げる盛土体と、この盛土体による盛土を締め固めて畦側面を形成する回転可能な畦側面形成体と、前記盛土体による盛土を締め固めて畦上面を形成する回転可能な畦上面形成体とを備え、前記畦上面形成体は、外周面が非円筒状に形成された非円筒上面ローラ部と、外周面が円筒状に形成された振動抑制用の円筒上面ローラ部とを有するものである。
【０００６】
請求項２記載の畦塗り機は、請求項１記載の畦塗り機において、畦上面形成体を側面視した場合に、非円筒上面ローラ部の外周線が円筒上面ローラ部の外周線より内側に位置するものである。
【０００７】
請求項３記載の畦塗り機は、請求項１記載の畦塗り機において、非円筒上面ローラ部は、回転方向に並んで位置する弾性変形可能な複数の畦上面形成板部を有し、畦上面形成体を側面視した場合に、弾性変形前の状態では前記畦上面形成板部の回転方向後端側が円筒上面ローラ部の外周線より外側に位置し、弾性変形後の状態では前記畦上面形成板部の回転方向後端側が前記円筒上面ローラ部の外周線より内側に位置するものである。
【０００８】
請求項４記載の畦塗り機は、請求項１ないし３のいずれか一記載の畦塗り機において、非円筒上面ローラ部は、複数の分割ローラにて構成され、軸方向長さ寸法が変更可能となっているものである。
【０００９】
請求項５記載の畦塗り機は、請求項１ないし４のいずれか一記載の畦塗り機において、円筒上面ローラ部は、畦上面形成体の先端部に位置するものである。
【発明の効果】
【００１０】
請求項１に係る発明によれば、畦上面形成体は、外周面が非円筒状に形成された非円筒上面ローラ部と、外周面が円筒状に形成された振動抑制用の円筒上面ローラ部とを有するため、畦上面形成体の振動を抑制でき、所望硬さの畦上面を形成できる。
【００１１】
請求項２に係る発明によれば、畦上面形成体を側面視した場合に、非円筒上面ローラ部の外周線が円筒上面ローラ部の外周線より内側に位置するため、畦上面形成体の振動を適切に抑制できる。
【００１２】
請求項３に係る発明によれば、畦上面形成体を側面視した場合に、弾性変形前の状態では畦上面形成板部の回転方向後端側が円筒上面ローラ部の外周線より外側に位置し、弾性変形後の状態では畦上面形成板部の回転方向後端側が円筒上面ローラ部の外周線より内側に位置するため、畦上面形成体の振動を適切に抑制できる。
【００１３】
請求項４に係る発明によれば、非円筒上面ローラ部は、複数の分割ローラにて構成され、軸方向長さ寸法が変更可能となっているため、
畦上面の幅寸法に応じて非円筒上面ローラ部の軸方向長さ寸法を変更できる。
【００１４】
請求項５に係る発明によれば、円筒上面ローラ部は、畦上面形成体の先端部に位置するため、畦上面形成体の振動を効果的に抑制できる。
【発明を実施するための最良の形態】
【００１５】
本発明の畦塗り機の一実施の形態を図１ないし図４を参照して説明する。
【００１６】
図１において１は畦塗り機で、この畦塗り機１は、走行車であるトラクタ（図示せず）の後部に連結され、トラクタの走行により進行方向前方に移動しながら畦塗り作業（畦修復作業）をする。
【００１７】
畦塗り機１は、図１に示されるように、トラクタの後部の３点リンク（作業機昇降支持装置）に連結される機体２と、機体２の一側前部に回転可能に設けられ田面および元畦の土を耕耘して畦側面および畦上面に盛り上げる盛土体３と、機体２の一側後部に回転可能に設けられ盛土体３の後方で水平な左右方向の回転中心軸線Ｘを中心として回転しながら盛土体３による盛土を締め固めて新たな畦（新畦）を形成する畦形成体４と、盛土体３の前方で元畦の畦上面を前処理すなわち例えば雑草等の除去のために耕耘して削る回転可能な前処理体である上面削り体５とを備えている。
【００１８】
機体２は、トラクタの後部の３点リンクに連結される固定機枠７を有している。固定機枠７には回動アーム８の一端部が回動可能に取り付けられ、この回動アーム８の他端部には可動機枠９が回動可能に取り付けられている。可動機枠９には、盛土体３、畦形成体４および上面削り体５がそれぞれ回転可能に設けられている。
【００１９】
また、固定機枠７は、軸保持部10を有し、この軸保持部10には略前後方向の入力軸11が回転可能に設けられ、この入力軸11はトラクタのＰＴＯ軸にジョイントおよび伝動シャフト等からなる動力伝達手段（図示せず）を介して接続される。一方、可動機枠９は伝動ケースを兼ね備えたもので、この可動機枠９は軸保持部12を有し、この軸保持部12には中間入力軸13が回転可能に設けられ、この中間入力軸13は入力軸11にジョイントおよび伝動シャフト等からなる動力伝達手段14を介して接続されている。そして、盛土体３、畦形成体４および上面削り体５は中間入力軸13側からの動力で所定方向に駆動回転する。なお、可動機枠９には、接地輪15が支持アーム16を介して取り付けられている。
【００２０】
盛土体３は、可動機枠９の軸保持部19にて回転可能に保持された前後方向の回転軸21と、回転軸21に回転軸21の径方向外方に向って突設され回転軸21と一体となって回転しながら田面および元畦の土を耕耘して畦側面および畦上面に盛り上げる複数の盛土爪22とを有している。複数の盛土爪22の上方部は、図示しないカバー部材にて覆われている。盛土体３の回転軸21は、中間入力軸13側からの動力で所定方向に駆動回転する。
【００２１】
上面削り体５は、可動機枠９の軸保持部20にて回転可能に保持された前後方向の回転軸23と、回転軸23に回転軸23の径方向外方に向って突設され回転軸23と一体となって回転しながら元畦の畦上面を前処理すなわち例えば耕耘して削る複数の削り爪（前処理爪）24とを有している。複数の削り爪24の上方部は、図示しないカバー部材にて覆われている。上面削り体５の回転軸23は、盛土体３の回転軸21側からの動力で所定方向に駆動回転する。
【００２２】
畦形成体４は、可動機枠９にて回転可能に保持された左右方向の回転軸31と、回転軸31に取り付けられ回転軸31と一体となって回転中心軸線Ｘを中心として回転方向に回転しながら盛土体３による盛土を締め固めて田面側に向って下り傾斜面状の畦側面を形成する略円錐台状つまり田面側に向って徐々に拡径する略円錐台状をなす回転可能な畦側面形成体（側面ローラ）32と、畦側面形成体32の縮径側端部に外側方に向って突設され畦側面形成体32と一体となって回転中心軸線Ｘを中心として回転方向に回転しながら盛土体３による盛土を締め固めて水平面状の畦上面を形成する略円筒状の回転可能な畦上面形成体（上面ローラ）33とを有している。畦形成体４の回転軸31は、中間入力軸13側からの動力で所定方向に駆動回転する。
【００２３】
畦側面形成体32は、図２に示すように、円錐台状のベース部36と、ベース部36の外周面に回転中心軸線Ｘを中心として放射状に設けられ畦側面形成体32の回転方向に並んで位置し盛土体３による盛土を回転方向後端側で押し込んで締め固めて畦側面を形成する略扇形状でかつやや湾曲面状の複数の作用板部である畦側面形成板部（ディスク）37とを有している。回転方向に互いに隣り合う畦側面形成板部37間には段差部38が形成されている。
【００２４】
なお、畦側面形成板部37は、例えばステンレス等の金属板、或いは合成樹脂板等にて形成されている。また、畦側面形成板部37は、畦塗り作業時に盛土との接触により弾性変形せず段差部38がそのまま維持される構成でもよく、盛土との接触により弾性変形して段差部38が小さくなる構成でもよい。
【００２５】
畦上面形成体33は、図１ないし図４に示すように、外周面が段差部48を有して非円筒状に形成された非円筒上面ローラ部41と、この非円筒上面ローラ部41の先端部に設けられ畦上面形成体33の先端部（外端部）つまり畦側面形成板部37側とは反対側の端部に位置し外周面が回転中心軸線Ｘを中心とする円筒状に形成され畦塗り作業時に畦上面形成体33の上下振動を抑制する上下振動抑制用の円筒上面ローラ部42とを有している。
【００２６】
非円筒上面ローラ部41は、外周面が回転中心軸線Ｘを中心とする円筒状に形成されたベース部45を有している。ベース部45は、畦側面形成体32のベース部36の縮径側端部から反田面側に向って突出している。ベース部45の外周面には、畦上面形成体33の回転方向に並んで位置し盛土体３による盛土を回転方向後端側で押し込んで締め固めて畦上面を形成する同一形状の複数（例えば８つ）の作用板部である畦上面形成板部46がベース部45の外周面に略沿うにように設けられている。
【００２７】
各畦上面形成板部46は、いずれも、外面側が凸となるようにやや湾曲した曲面状で略矩形状に形成されている。つまり各畦上面形成板部46は、ベース部45の軸方向に長手方向を有する略矩形状で、その長手方向の長さ寸法がベース部45の軸方向の長さ寸法と略同じである。また、各畦上面形成板部46は、回転中心軸線Ｘからの距離が回転方向前端側から回転方向後端側に向って徐々に増大するように配置されている。つまり各畦上面形成板部46は、回転方向後端ほどベース部45の円筒状の外周面（仮想円筒面）からの距離が大きくなるように傾斜状に配置されている。各畦上面形成板部46の回転方向後端側外面にて、盛土を押し込む作用面47が構成されている。
【００２８】
また、回転方向に互いに隣り合う畦上面形成板部46間には段差部48が形成され、各段差部48は、ベース部45の軸方向つまり回転中心軸線Ｘに沿って位置する。すなわち互いに隣り合う畦上面形成板部46は、一方の畦上面形成板部46の回転方向後端部と他方の畦上面形成板部46の回転方向前端部とが段差部48を介して互いに対向した状態になっており、他方の畦上面形成板部46の回転方向前端部外面が一方の畦上面形成板部46の回転方向後端部にて覆われている。
【００２９】
なお、畦上面形成板部46は、例えばステンレス等の金属板、或いは合成樹脂板等にて形成されている。また、畦上面形成板部46は、畦塗り作業時に盛土との接触により弾性変形せず段差部48がそのまま維持される構成でもよく、盛土との接触により弾性変形して段差部48が小さくなる構成でもよい。
【００３０】
そして、このような非円筒上面ローラ部41は、畦上面の幅寸法に応じて軸方向長さ寸法を変更できるように、軸方向に関して複数、例えば２つに分割されている。つまり非円筒上面ローラ部41は、複数、例えば２つの分割ローラである第１分割ローラ41aおよび第２分割ローラ41bにて構成され、これら分割ローラ41a，41bのいずれか一方の取り外しにより軸方向長さ寸法が変更可能となっている。
【００３１】
第１分割ローラ41aは畦側面形成体32のベース部36の縮径側端部に脱着可能に取り付けられ、この第１分割ローラ41aの先端部に第２分割ローラ41bが脱着可能に取り付けられ、この第２分割ローラ41bの先端部に円筒上面ローラ部42が脱着可能に取り付けられている。
【００３２】
そして、例えば図５に示すように、第１分割ローラ41aを取り外し、第２分割ローラ41bを畦側面形成体32のベース部36の縮径側端部に取り付けることにより、非円筒上面ローラ部41の軸方向長さ寸法を短くすることが可能である。
【００３３】
一方、円筒上面ローラ部42は、畦上面形成体33の先端部を構成している。円筒上面ローラ部42は非円筒上面ローラ部41より径大状に形成され、図３に示されるように畦上面形成体33を軸方向先端側から側面視した場合に、非円筒上面ローラ部41の凸凹の外周線が円筒上面ローラ部42の円形の外周線より内側つまり回転中心軸線Ｘ側に位置する。つまり、畦上面形成体33は、側面視で非円筒上面ローラ部41が円筒上面ローラ部42の外周線から突出しない形状に形成されている。また、円筒上面ローラ部42にて、非円筒上面ローラ部41の先端面全体が覆われている。そして、円筒上面ローラ部42は、畦塗り作業時には上面削り体５にて前処理（耕耘処理）されていない硬い未耕の畦上面上を回転しながら移動し、畦上面形成体33全体の上下振動を抑制する。
【００３４】
次に、上記畦塗り機１の作用等を説明する。
【００３５】
トラクタの後部の３点リンクに畦塗り機１を連結してトラクタを走行させると、畦塗り機１はトラクタとともに前方に向って移動し、また盛土体３、畦形成体４および上面削り体５はそれぞれ所定方向に駆動回転する。なお、畦形成体４の回転速度はトラクタの車輪の回転速度より速い値に設定されており、畦形成体４は畦に対してスリップ回転する。
【００３６】
そして、上面削り体５にて元畦の畦上面が前処理され、盛土体３にて土が元畦の畦側面および畦上面に盛り上げられ、畦形成体４の畦側面形成体32にて盛土体３による盛土が締め固められて畦側面が形成され、畦形成体４の畦上面形成体33にて盛土体３による盛土が締め固められて畦上面が形成される。
【００３７】
この際、非円筒上面ローラ部41が盛土を叩いて締め固めることから畦上面形成体33に上下振動が発生するが、外周面が円筒状の円筒上面ローラ部42が上面削り体５にて前処理されていない硬い未耕の畦上面上を回転しながら移動するため、畦上面形成体33の上下振動が抑制される。
【００３８】
このように畦塗り機１によれば、畦上面形成体33が、盛土の掻き込み機能および叩き機能を発揮する凹凸断面形状の非円筒上面ローラ部41と、この非円筒上面ローラ部41よりも塗り厚が薄くかつ上面削り体５および盛土体３にて耕耘されていない硬い未耕の畦上面上を回転しながら移動する円筒上面ローラ部42とを有するため、畦上面形成体33の上下振動を抑制でき、所望硬さの畦上面を安定して形成できる。
【００３９】
また、畦上面形成体33の非円筒上面ローラ部41は、軸方向に分割した複数の分割ローラ41a，41bにて構成されて軸方向長さ寸法が変更可能となっているため、元畦の畦上面の幅寸法に応じて非円筒上面ローラ部41の軸方向長さ寸法を変更設定できる。
【００４０】
なお、非円筒上面ローラ部41は、複数の板部材をベース部45にそれぞれ取り付けて複数の畦上面形成板部46を形成したものには限定されず、例えば図６（ａ）および（ｂ）に示すように、一体成型した１つの筒状部材をベース部45に取り付けて複数の畦上面形成板部46を形成したものでもよい。なお、畦上面形成板部46の数は８つには限定されず、任意である。
【００４１】
また、非円筒上面ローラ部41は、盛土の一部を畦側面形成体32側に移動させる螺旋状の凸部である突部を外周面に形成したものでもよい。
【００４２】
すなわち例えば図７（ａ）および（ｂ）に示す例では、突部は畦側面形成体32から離れるに従って回転方向に向う複数、例えば４つの螺旋状の細長板或いは丸棒等の段差部である突条部51にて構成され、各突条部51はベース部45の外周面に突設され、ベース部45の軸方向一端から他端にわたって位置している。なお、突条部51の数は任意で、３つ、６つ、８つ等でもよく、また１つでもよい。
【００４３】
また、図８（ａ）および（ｂ）に示す例では、突部は畦側面形成体32から離れるに従って回転方向に向う螺旋状に形成され盛土を徐々に加圧するように厚さ寸法が回転方向に向って徐々に減少すると凸状の複数の突面部である突板部52にて構成されている。またこの図８の非円筒上面ローラ部41は、側面視でその外周線が回転中心軸線Ｘを中心とする円形をなすものである。すなわち、４つの突板部52は、非円筒上面ローラ部41を側面視した場合に回転中心軸線Ｘを中心とする円周上に切れ間なく連続して位置するように配設されている。そして、隣接する突板部52のうちの一方の突板部52の回転方向前端と他方の突板部52の回転方向後端との連接部分に畦側面形成体32から離れるに従って回転方向に向う螺旋状の段差部53が形成されている。この非円筒上面ローラ部41は、例えば外周面が円筒状の円筒部材の外周面に幅方向一端から幅方向他端に向って徐々に厚さ寸法が減少する複数枚の板状部材を貼り付けて製作する。
【００４４】
なお、この図８に示す非円筒上面ローラ部41は４つの螺旋状の突板部52を外周面に有する構成であるが、突板部52の数は任意で、３つ、６つ、８つ等でもよく、また図９（ａ）および（ｂ）に示すように非円筒上面ローラ部41が１つの螺旋状の突板部52を外周面に有する構成でもよい。
【００４５】
また一方、非円筒上面ローラ部41は、外周面が段差部を有して非円筒状に形成された段差付きのものには限定されず、例えば図１０（ａ）および（ｂ）に示すような羽根付きのものでもよい。この非円筒上面ローラ部41は、回転方向に並んで位置し盛土体３による盛土を回転方向後端側で押し込んで締め固めて畦上面を形成する弾性変形可能な複数の作用板部である畦上面形成板部（羽根）56を有している。各畦上面形成板部56は外面側が凸となるようにやや湾曲した金属製或いは樹脂製の弾性板57にて構成され、これら複数の弾性板57は回転方向前端部がベース部45の外周面に取り付けられ回転方向後端部がベース部45の外周面から離れて自由端部となっている。また、各畦上面形成板部56の回転方向後端側外面にて、盛土を押し込む作用面58が構成されている。さらに、図１１に示されるように、この非円筒上面ローラ部41は、図４に示すものと同様、複数、例えば２つの分割ローラである第１分割ローラ41aおよび第２分割ローラ41bにて構成され、これら分割ローラ41a，41bのいずれか一方の取り外しにより軸方向長さ寸法が変更可能となっている。
【００４６】
そして、図１２および図１３に示すように、畦上面形成体33を軸方向先端側から側面視した場合に、弾性変形前の状態では畦上面形成板部56の回転方向後端側が円筒上面ローラ部42の外周線より外側に位置し、畦塗り作業時に盛土との接触により弾性変形した状態では畦上面形成板部56の回転方向後端側が円筒上面ローラ部42の外周線より内側に位置する。
【００４７】
また、上記実施の形態では、非円筒上面ローラ部41を複数の分割ローラ41a，41bにて構成した場合について説明したが、例えば図１４に示すように、非円筒上面ローラ部41を１つのローラで構成したものでもよく、また非円筒上面ローラ部41と円筒上面ローラ部42とを一体に形成したものでもよい。
【００４８】
さらに、例えば図１５に示すように、非円筒上面ローラ部41を３つの分割ローラ41a，41b，41cにて構成し、先端側の分割ローラ41cに円筒上面ローラ部42を一体に形成したものでもよい。
【００４９】
また、例えば図１６に示すように、３つの分割ローラ41a，41b，41cと円筒上面ローラ部42とをそれぞれ別体に形成したものでもよい。すなわち例えば図１７ないし図１９に示すように、ボルトおよびナットを用いて分割ローラ41a，41b，41cと円筒上面ローラ部42と畦側面形成体32とを連結した構成でもよい。
【図面の簡単な説明】
【００５０】
【図１】本発明の一実施の形態に係る畦塗り機の概略平面図である。
【図２】同上畦塗り機の畦形成体の斜視図である。
【図３】同上畦塗り機の畦上面形成体の側面図である。
【図４】同上畦塗り機の畦上面形成体の平面図である。
【図５】軸方向長さを短くした畦上面形成体の平面図である。
【図６】（ａ）および（ｂ）は非円筒上面ローラ部の変形例を示す図である。
【図７】（ａ）および（ｂ）は非円筒上面ローラ部の変形例を示す図である。
【図８】（ａ）および（ｂ）は非円筒上面ローラ部の変形例を示す図である。
【図９】（ａ）および（ｂ）は非円筒上面ローラ部の変形例を示す図である。
【図１０】（ａ）および（ｂ）は非円筒上面ローラ部の変形例を示す図である。
【図１１】同上非円筒上面ローラ部を有する畦上面形成体の平面図である。
【図１２】同上非円筒上面ローラ部を有する畦上面形成体の側面図である。
【図１３】同上非円筒上面ローラ部の畦上面形成板部が弾性変形した状態の一部側面図である。
【図１４】畦上面形成体の変形例を示す平面図である。
【図１５】畦上面形成体の変形例を示す平面図である。
【図１６】畦上面形成体の変形例を示す平面図である。
【図１７】同上畦上面形成体の断面図である。
【図１８】同上畦上面形成体の円筒上面ローラ部の側面図である。
【図１９】同上畦上面形成体の分割ローラの側面図である。
【符号の説明】
【００５１】
１    畦塗り機
３    盛土体
32    畦側面形成体
33    畦上面形成体
41    非円筒上面ローラ部
42    円筒上面ローラ部
56    畦上面形成板部
【図１】
2010045995.tif 000003
【図２】
2010045995.tif 000004
【図３】
2010045995.tif 000005
【図４】
2010045995.tif 000006
【図５】
2010045995.tif 000007
【図６】
2010045995.tif 000008
【図７】
2010045995.tif 000009
【図８】
2010045995.tif 000010
【図９】
2010045995.tif 000011
【図１０】
2010045995.tif 000012
【図１１】
2010045995.tif 000013
【図１２】
2010045995.tif 000014
【図１３】
2010045995.tif 000015
【図１４】
2010045995.tif 000016
【図１５】
2010045995.tif 000017
【図１６】
2010045995.tif 000018
【図１７】
2010045995.tif 000019
【図１８】
2010045995.tif 000020
【図１９】
2010045995.tif 000021